(57)【要約】【課題】照明範囲縁部のスポットを生じさせずに、傾斜表面部上の遮光幅を低減することのできる照明装置の構造を実現する。【解決手段】本発明の照明装置は、光源１１と、板状に構成され、前記光源の光放出面１１ａと対向する光入射面１３ａを端部に備えるとともに、前記光入射面より内部に入射し伝播する光を出射する光出射面側の少なくとも一部に光出射部１３ｂを一方の表面に備えた導光板１３と、を有し、該導光板は、前記光入射面と前記光出射部との間に、前記導光板の厚みを前記光源の側で厚く、前記光出射部の側で薄くする傾斜表面部１３ｄを備えた照明装置において、該導光板における前記光出射部の表面と前記傾斜表面部とのなす傾斜角θは、前記光入射面の側で大きく、前記光出射部の側で小さいことを特徴とする。【選択図】図２
2009081014.tif 000002
【特許請求の範囲】
【請求項１】
光源と、板状に構成され、前記光源の光放出面と対向する光入射面を端部に備えるとともに、前記光入射面に隣接し前記光入射面より内部に入射し伝播する光を出射する光出射面側の少なくとも一部に光出射部を備えた導光板と、を有し、該導光板は、前記光出射面側における前記光入射面と前記光出射部との間に、前記導光板の厚みを前記光源の側で厚く、前記光出射部の側で薄くする態様で傾斜する傾斜表面部を備えた照明装置において、
前記導光板における前記光出射部の表面と前記傾斜表面部とのなす傾斜角は、前記光入射面の側で大きく、前記光出射部の側で小さいことを特徴とする照明装置。
【請求項２】
前記傾斜表面部は、前記光入射面の側から前記光出射部の側に向けて前記傾斜角が連続的に低下する凹曲面で構成されることを特徴とする請求項１に記載の照明装置。
【請求項３】
前記傾斜表面部と前記光出射部とが連続面として構成されていることを特徴とする請求項２に記載の照明装置。
【請求項４】
前記光出射面上には光拡散シートが配置され、該光拡散シートが延長されて前記傾斜表面部をさらに覆うことを特徴とする請求項１乃至３のいずれか一項に記載の照明装置。
【請求項５】
前記傾斜表面部を覆う遮光シートが配置されることを特徴とする請求項１乃至３のいずれか一項に記載の照明装置。
【請求項６】
光源と、板状に構成され、前記光源の光放出面と対向する光入射面を端部に備えるとともに、前記光入射面に隣接し前記光入射面より内部に入射し伝播する光を出射する光出射面側の少なくとも一部に光出射部を備えた導光板と、を有し、該導光板は、前記光出射面側における前記光入射面と前記光出射部との間に、前記導光板の厚みを前記光源の側で厚く、前記光出射部の側で薄くする態様で傾斜する傾斜表面部を備え、該導光板における前記光出射部の表面と前記傾斜表面部とのなす傾斜角が、前記光入射面の側で大きく、前記光出射部の側で小さい照明装置と、
前記光出射部の上に表示領域が配置されてなる電気光学パネルと、
を具備することを特徴とする電気光学装置。
【請求項７】
請求項６に記載の電気光学装置を搭載したことを特徴とする電子機器。
【発明の詳細な説明】
【技術分野】
【０００１】
本発明は照明装置、電気光学装置及び電子機器に係り、特に、光源と、該光源の光を伝播させて出射する導光板とを有する照明装置の構造に関する。
【背景技術】
【０００２】
一般に、液晶表示体のバックライトなどとして用いられる照明装置としては、ＬＥＤなどの光源と、該光源と対向配置される光入射面を備えた導光板とを有するサイドライト型（エッジライト型）の照明装置が用いられる。このような照明装置は、バックライトの厚みを低減できる点で優れているので、特に携帯電話等の携帯型電子機器に液晶表示体を搭載する場合に多く用いられる。
【０００３】
上記のような照明装置では、近年、電子機器の薄型化がさらに進み、薄型化の要請が強まってきたことから、導光板の厚みを薄くしてバックライトの薄型化を図る試みがなされている。しかしながら、導光板を薄くすると、小型化の進展がそれ程進んでいないＬＥＤなどの光源に対して光入射面の厚みが小さくなるため、導光板への光の取込効率が低下し、照明装置の輝度の低下が避けられないという問題点がある。
【０００４】
そこで、従来、光入射面と光出射部との間に傾斜表面部を設けて、導光板を光源の側で厚く、光出射部において薄くした導光板が用いられるようになってきている（例えば、以下の特許文献１参照）。たとえば、図５に示すように、ＬＥＤ等の光源１と、光源１を実装する光源基板２と、光入射面３ａ、光出射部３ｂ、背面３ｃ及び傾斜表面部３ｄを備えた偏光板３と、導光板３の背面３ｃ上に配置される反射シート４と、導光板３の光出射部３ｂ上に配置される光拡散シート５、集光シート６、７を具備する照明装置が用いられる。また、傾斜表面部３ｄ上に遮光部を備えた遮光シート８がたとえば両面接着テープを兼ねて配置される場合がある。これらの照明構造上には液晶表示体等よりなる電気光学パネル１０が配置されることで電気光学装置が構成される。
【０００５】
このような構造では、図６に示すように、光源１の光放出面１ａより放出された光が導光板３の光入射面３ａより内部に入射し、図示右方向に伝播していく過程で、光出射部３ｂより徐々に出射される。傾斜表面部３ｄにより導光板３は光源１の側で厚く形成されているので、厚い光放出面１ａを備えた光源１であっても導光板３の内部により多くの光を効率的に取り込むことが可能になるため、バックライトの薄型化と明るさとを両立することが可能になる。この場合、遮光シート８は遮光部８ａによって光源１の側の傾斜表面部３ｄより漏れる光を遮光しているので、図７に示すように、照明範囲Ａ内では比較的均一な輝度を有するものとなる。
【特許文献１】特開２００５−１０８８１７
【発明の開示】
【発明が解決しようとする課題】
【０００６】
ところで、近年の電子機器の薄型化及び小型化は、前述のような照明装置の構成にさらに変革を求めるようになってきている。すなわち、上記の装置では遮光シート８の遮光部８ａによる遮光幅８ｘが大きいため、照明範囲Ａの外側に配置される額縁領域の幅が大きくなることから、電子機器の小型化に反するので、上記遮光幅８ｘを小さくすることが要求される。
【０００７】
そこで、図８に示すように、傾斜表面部３ｄ′を急傾斜として光源１に近いところまで光出射部３ｂ′を伸ばし、これによって遮光幅８ｘ′を小さくすることが考えられる。ところが、このようにすると、従来は遮光されていた部分が照明範囲Ａの縁部Ｂとなり露出するとともに、導光板３の内部伝播光のうち急傾斜とされた傾斜表面部３ｄ′で反射された光が図示水平面に対してより急角度の光となるので、照明範囲Ａ内のうち光源１の側の上記縁部Ｂを中心とする領域から出射する光量が増大し、図９に示すように、縁部Ｂの近傍における光源１の配置された部分で明るいスポットＣが目玉状に形成されてしまうという問題が生ずる。
【０００８】
そこで、本発明は上記問題点を解決するものであり、その課題は、照明範囲縁部のスポットを生じさせずに、傾斜表面部上の遮光幅を低減することのできる照明装置の構造を実現することにある。
【課題を解決するための手段】
【０００９】
斯かる実情に鑑み、本発明の照明装置は、光源と、板状に構成され、前記光源の光放出面と対向する光入射面を端部に備えるとともに、前記光入射面より内部に入射し伝播する光を出射する光出射面側の少なくとも一部に光出射部を備えた導光板と、を有し、該導光板は、前記光入射面側における前記光入射面と前記光出射部との間に、前記導光板の厚みを前記光源の側で厚く、前記光出射部の側で薄くする傾斜表面部を備えた照明装置において、前記導光板における前記光出射部の表面と前記傾斜表面部とのなす傾斜角は、前記光入射面の側で大きく、前記光出射部の側で小さいことを特徴とする。
【００１０】
この発明によれば、傾斜表面部の傾斜角が光入射面の側で大きく、光出射部の側で小さいことにより、傾斜表面部の高傾斜角部分によって生ずる低出射角の出射光が光源の側に集中するため、照明範囲の縁部にて高伝播角の光が出射されにくくなり、また、遮光部分において照明範囲に近づくほど傾斜表面部の低傾斜角部分による内面反射により低伝播角の光のみが導光板の内部を伝播するようになることから、照明範囲の縁部で低出射角の出射光が集中してスポットが生ずるといったことを防止できる。
【００１１】
本発明において、前記傾斜表面部は、前記光入射面の側から前記光出射部の側に向けて前記傾斜角が連続的に低下する凹曲面で構成されることが好ましい。これによれば、傾斜表面部が連続的に低下する傾斜角を備えた凹曲面で構成されることにより、傾斜表面部における内面反射で生ずる内部伝播光の伝播角分布が滑らかに形成されるため、光出射部から出射される照明光の輝度分布が不均一になることを防止できる。
【００１２】
この場合において、前記傾斜表面部と前記光出射部とが連続面として構成されていることが望ましい。これによれば、傾斜表面部と光出射部とが連続面として形成されている（すなわち、傾斜表面部において光入射面の側から光出射部の側に向けて傾斜角が連続的に変化（低下）している）ことにより、上記輝度分布の均一性をさらに高めることができる。
【００１３】
本発明において、前記光出射部上には光拡散シートが配置され、該光拡散シートが延長されて前記傾斜表面部をさらに覆うことが好ましい。光拡散シートが傾斜表面部を覆うことにより、傾斜表面部の高傾斜角部分から出射する漏洩光が光拡散シートによって拡散されることから、当該漏洩光の一部が拡散されて導光板に戻った場合に低伝播角の内部伝播光となることにより光の利用効率を高めることができると同時に、当該一部の光によって照明範囲内の輝度分布が影響を受けることを防止できる。
【００１４】
本発明において、前記傾斜表面部を覆う遮光シートが配置されることが好ましい。これによれば、遮光シートが傾斜表面部を覆うことで、傾斜表面部の高傾斜角部分から出射する漏洩光による影響を防止できる。
【００１５】
次に、本発明の電気光学装置は、光源と、板状に構成され、前記光源の光放出面と対向する光入射面を端部に備えるとともに、前記光入射面より内部に入射し伝播する光を出射する光出射面側の少なくとも一部に光出射部を備えた導光板と、を有し、該導光板は、前記光入射面と前記光出射部との間に、前記導光板の厚みを前記光源の側で厚く、前記光出射部の側で薄くする態様で傾斜する傾斜表面部を備え、該導光板における前記光出射部の表面と前記傾斜表面部のなす傾斜角が、前記光入射面の側で大きく、前記光出射部の側で小さい照明装置と、前記光出射部の上に表示領域が配置されてなる電気光学パネルと、を具備することを特徴とする。
【００１６】
さらに、本発明の電子機器は、前記電気光学装置を搭載したことを特徴とする。特に、本発明の電子機器としては、小型化及び薄型化の要請の強い携帯電話、携帯型情報端末、電子時計などといった携帯型電子機器であることが好ましい。
【発明を実施するための最良の形態】
【００１７】
次に、添付図面を参照して本発明に係る照明装置１０及び電気光学装置１００の実施形態について詳細に説明する。図１は本実施形態の電気光学装置１００の全体構成を示す概略分解斜視図、図２は照明装置１０の光源１１側の端部近傍を示す拡大部分断面図である。
【００１８】
図１に示すように、本実施形態は、照明装置１０と電気光学パネル２０とから構成される。照明装置１０は、ＬＥＤ等よりなる光源１１と、この光源１１を実装する光源基板１２と、板状に構成され、光源１１の光放出面１１ａに対向する光入射面１３ａを端部に備え、光入射面１３ａから入射し内部を伝播する光を出射する光出射部１３ｂを一方の表面である光出射面上に備えた導光板１３と、導光板１３の背後（視認側とは反対側）に配置された白色ポリエチレン等よりなる反射シート１４と、光出射部１３ｂ上に配置される光拡散シート１５及び集光シート１６，１７と、照明範囲Ａ（図２参照）を画成する遮光シート１８とを有している。
【００１９】
ここで、光入射面１３ａは光源１１の光軸１１ｘに対して略直交する面（図示垂直面）であり、光出射部１３ｂは光軸１１ｘに平行で上記光入射面１３ａと直交する面（図示水平面）である。また、導光板１３の他方の面（背面）１３ｃは、上記光出射部１３ｂと略平行な面となっている。この背面１３ｃには内部伝播光を光出射部１３ｂに向けて内面反射させるための凹凸構造が形成されたり、光散乱層が形成されたりする場合がある。また、背面１３ｃから出射した光は反射シート１４で反射されて再び導光板１３の内部に戻り、光出射部１３ｂより出射される。いずれにしても、光源１の光放出面１１ａより放出された光は光入射面１３ａより入射し、導光板１３の内部を光軸１１ｘに沿った方向に伝播する内部伝播光となり、光出射部１３ｂに対する入射角が全反射角を越えると光出射部１３ｂより前方へ出射される態様で、伝播方向に沿って徐々に出射される。また、導光板１３は上記凹凸構造や光散乱層などによって光出射部１３ｂより出射する光で得られる輝度分布が照明範囲Ａ全体に亘り略均一となるように設計されている。
【００２０】
本実施形態において導光板１３は、端部に形成された光入射面１３ａと、一方の表面である光出射面に形成された光出射部１３ｂとの間に傾斜表面部１３ｄを有している。この傾斜表面部１３ｄは、基本的に導光板１３の一方の表面である光出射面における上記光出射部１３ｂの光源１１側の部分で構成される。傾斜表面部１３ｄを設けることで、導光板１３は光源１１側で厚く、光出射部１３ｂ側で薄くなるように構成されている。これによって、光入射面１３ａの厚みは光源１１の光放出面１１ａの厚みとほぼ一致するが、光出射部１３ｂが設けられている平面範囲では厚みが光放出面１１ａの厚み（通常、０．５〜１．０ｍｍ程度）より薄く構成される。なお、導光板１３は光出射部１３ｂが設けられている平面範囲（照明範囲Ａ）では略平行平板状となっている。
【００２１】
図２に示すように、傾斜表面部１３ｄは、光入射面１３ａの側から光出射部１３ｂの側に向けて傾斜角θ（光軸１１ｘに対する角度）が小さくなるように構成されている。すなわち、光入射面１３ａの側に高傾斜角部分があり、光出射部１３ｂの側に低傾斜角部分がある。ただし、傾斜表面部１３ｄと光出射部１３ｂの接続点には、傾斜角θの不連続性があってもよいが、段差がないように構成されることが好ましい。これは、段差による不要な屈折光を発生させないためである。
【００２２】
なお、傾斜表面部１３ｄの傾斜角θは、光入射面１３ａの側（高傾斜角部分）で４度、好ましくは５度を越え、光出射部１３ｂの側（低傾斜角部分）で３度、好ましくは２度未満になるように構成されることが望ましい。これは、光入射面１３ａの側で傾斜角θが小さすぎると遮光幅１８ｘを低減することができる効果が小さくなり、光出射部１３ｂの側で傾斜角θが大きすぎると照明範囲Ａの輝度の均一性を高める効果が小さくなるからである。
【００２３】
図示例では、傾斜表面部１３ｄの傾斜角θは連続的に滑らかに低減された凹曲面状に構成される。また、傾斜表面部１３ｄと光出射部１３ｂとは連続面となるように構成されている。すなわち、傾斜表面部１３ｄは、光出射部１３ｂに向けて傾斜角θが徐々に漸減して、やがて傾斜角θが０になるところで光出射部１３ｂに接続される。
【００２４】
ここで、傾斜表面部１３ｄの凹曲面形状は特に限定されず、光入射面１３ａから光出射部１３ｂに向かう断面形状の輪郭を円弧状、楕円弧状、放物線状、双曲線状など、任意の形状とすることができる。ただし、本発明において、傾斜表面部１３ｄは連続する凹曲面状である場合に限られず、例えば、２つ若しくはそれ以上の異なる傾斜角θを有する平坦部分を設け、これらが光入射面１３ａ側に大きい傾斜角θの面が配置され、光出射部１３ｂ側で小さい傾斜角θの面が配置される態様で不連続に接続された形状を有していてもよい。
【００２５】
光拡散シート１５及び集光シート１６，１７の光学シートは、光出射部１３ｂ上に配置されている。これらの光学シート（全体の総厚みが１５０〜２００μｍ程度）は傾斜表面部１３ｄの高さ範囲（２００〜３００μｍ程度）内に収まるように配置されることが好ましい。また、遮光シート１８は傾斜表面部１３ｄの形成範囲を覆う遮光部１８ａを有している。当該遮光部１８ｅの遮光幅１８ｘは、傾斜表面部１３ｄ全体を完全に覆うように設定されていることが好ましいが、後述する照明範囲Ａの光源１１側の縁部Ｂの光出射態様に応じて、傾斜表面部１３ｄの低傾斜角側の一部を被覆せず、照明範囲Ａの一部として構成してもよい。
【００２６】
遮光シート１８は、傾斜表面部１３ｄ（特にその高傾斜角部分）から出射される漏洩光を遮光することができるものであれば如何なるものであってもよいが、特に、白色層（光源１１側）と黒色層（視認側）を積層してなる遮光シートを用いることが遮光性を高める上で望ましい。ただし、本実施形態の場合、傾斜表面部１３ｄの高傾斜角部分からの出射光を除去したいときには、傾斜表面部１３ｄ側の面を黒色とするなど、高い光吸収性を備えたものとすることが好ましい。
【００２７】
図２に示すように、電気光学パネル２０は、たとえば、ガラスやプラスチックなどの基板２１，２２を図示しないシール材等を介して貼り合わせ、その間に液晶などの電気光学物質を配置したものである。また、電気光学物質に電界を印加するための図示しない電界印加構造も設けられる。図示例では、基板２１に基板２２の外形より張り出してなる基板張出部２１Ｔが設けられ、この基板張出部２１Ｔ上にドライバＩＣ等の駆動回路２３及びフレキシブル配線基板等の配線部材２４が実装されている。この電気光学パネル２０の表示領域Ｄは、上記照明装置１０の照明範囲Ａ内に重なるように配置される。
【００２８】
本実施形態の照明装置１０では、導光板１３における傾斜表面部１３ｄの高傾斜角部分では光源１１から放出され導光板の内部に入射した光のうち、高伝播角（伝播角φは光軸１１ｘに対する角度）の光が入射すると入射角が全反射角以下となって導光板１３より外部へ出射する漏洩光Ｌｏが、傾斜角θが大きいことから増加する。一方、低傾斜角部分では、高伝播角の光が高傾斜角部分で既に出射しているとともに傾斜角θが小さいことから、出射光が減少するとともに伝播角φの小さい光Ｌｉが残る。したがって、低傾斜角部分で高伝播角の光が生じにくくなるため、図３に示すように、遮光幅１８ｘを小さくしても、従来のように照明範囲Ａの光源１１側の縁部Ｂに目玉状のスポットが生じるといったことが防止される。
【００２９】
特に、傾斜表面部１３ｄが光入射面１３ａの側から光出射部１３ｄの側へ向けて傾斜角θが漸減する態様で連続する凹曲面とされることで、傾斜角θの不連続性に起因する照明範囲Ａ内の輝度の均一性の変化を回避することができる。さらに、上記傾斜表面部１３ｄが光出射部１３ｂと連続していることにより、傾斜表面部１３ｄから光出射部１３ｂに亘る傾斜角θの不連続性をもなくすことができるため、照明範囲Ａ内の輝度の均一性をさらに高めることができる。
【００３０】
ここで、従来例及び比較例（図５乃至図８）では、傾斜表面部３ｄ、３ｄ′と光出射部３ｂ、３ｂ′との間には必ず傾斜角θの不連続な屈折部が存在するため、この屈折部による光の散乱等により照明範囲Ａの縁部を傾斜表面部３ｄ、３ｄ′に近づけることができなかったが、本実施形態では傾斜表面部３ｄと光出射部３ｂとが連続面として構成されることで、傾斜角の不連続性がなくなるため、このような意味での制約はなくなる。
【００３１】
なお、上記実施形態では、傾斜表面部１３ｄの光入射面１３ａの側の端部が導光板の上端角部に一致しているが、光入射面１３ａの側に光出射部１３ｂと同様の平坦な部分を介して傾斜表面部１３ｄが形成されていてもよい。
【００３２】
図４は上記実施形態の変形例を示す拡大部分断面図である。この例では、光拡散シート１５′が光出射部１３ｂ上から傾斜表面部１３ｄ上に張り出している点で上記実施形態と異なる。このようにすると、光拡散シート１５′が傾斜表面部１３ｄ上に配置されることで、傾斜表面部１３ｄから出射した漏洩光を拡散させることができるため、当該漏洩光を積極的に利用しない（たとえば遮光シート１８で吸収する）場合には漏洩光の一部が導光板１３内に戻ることによる影響をさらに低減でき、また、上記漏洩光を積極的に利用する（たとえば遮光シート１８で反射させる）場合でも、高伝播角の光が出射したときに拡散により低出射角の光に変換され、これが反射等により再び導光板１３内に入射することによって低伝播角の光となり、輝度分布の均一性に影響を与えにくい有効な照明光成分として用いることが可能になるので、照明装置１０の光の利用効率を高めることが可能になる。
【００３３】
最後に、上記照明装置１０及び電気光学パネル２０を有する電気光学装置１００を搭載した電子機器の一例について図１０及び図１１を参照して説明する。
【００３４】
図１０は、電子機器における電気光学装置１００に対する制御系（表示制御系）の全体構成を示す概略構成図である。ここに示す電子機器は、表示情報出力源２９１と、表示情報処理回路２９２と、電源回路２９３と、タイミングジェネレータ２９４と、バックライト１０への電力供給を行う光源制御回路２９５とを含む表示制御回路２９０を有する。また、電気光学装置１００には、上述の構成を有する電気光学パネル２０が設けられ、この電気光学パネル２０には駆動回路２３が含まれるとともに、電気光学パネル２０を照明するための照明装置（バックライト）１０が設けられている。この駆動回路２３は、図１に示すように電気光学パネル２０に直接実装されている電子部品（半導体ＩＣなど）で構成されるが、上記のような態様の他に、電気光学パネル２０の基板表面上に形成された回路パターン、或いは、電気光学パネル２０に導電接続された回路基板（上記配線部材２４など）に実装された半導体ＩＣチップ若しくは回路パターンなどによっても構成することができる。
【００３５】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００３６】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２３へ供給する。駆動回路２３は、走査線駆動回路、信号線駆動回路及び検査回路を含む。また、電源回路２９３は、上述の各構成要素にそれぞれ所定の電圧を供給する。
【００３７】
光源制御回路２９５は、電源回路２９３から供給される電圧に基づいて照明装置１０の光源１１に電力を供給し、所定の制御信号に基づいて光源の点灯の有無及びその輝度等を制御するようになっている。
【００３８】
図１１は、本発明に係る電子機器の一実施形態である携帯電話機を示している。ここに示す携帯電話機１０００は、複数の操作ボタン、送話口などを備えた操作部１００１と、受話口などを備えた表示部１００２とを有し、表示部１００２の内部に上記の電気光学装置１００が組み込まれてなる。そして表示部１００２の表面（内面）上において電気光学装置１００の表示領域Ｄを視認することができるようになっている。
【００３９】
また、本発明に係る電子機器としては、図１１に示す携帯電話機の他に、液晶テレビ、カーナビゲーション装置、ページャ、電子手帳、電卓、ワークステーション、テレビ電話、ＰＯＳ端末機などが挙げられる。ただし、本実施形態としては、携帯電話機、携帯型情報端末、電子時計など、携帯型電子機器であることが特に望ましい。
【００４０】
尚、本発明は、上述の図示例にのみ限定されるものではなく、本発明の要旨を逸脱しない範囲内において種々変更を加え得ることは勿論である。
【図面の簡単な説明】
【００４１】
【図１】実施形態の電気光学装置の概略分解斜視図。
【図２】実施形態の照明装置の光源近傍の構造を示す拡大部分縦断面図。
【図３】実施形態の照明装置の平面形状を輝度分布とともに示す概略平面図。
【図４】実施形態の変形例を示す拡大部分縦断面図。
【図５】従来の電気光学装置の概略分解斜視図。
【図６】従来の照明装置の光源近傍の構造を示す拡大部分縦断面図。
【図７】従来の照明装置の平面形状を輝度分布とともに示す概略平面図。
【図８】比較例の照明装置の光源近傍の構造を示す拡大部分縦断面図。
【図９】比較例の照明装置の平面形状を輝度分布とともに示す概略平面図。
【図１０】電子機器の表示制御系の構成を示す概略構成図。
【図１１】電子機器の外観を示す概略斜視図。
【符号の説明】
【００４２】
１０…照明装置、１１…光源、１１ａ…光放出面、１１ｘ…光軸、１２…光源基板、１３…導光板、１３ａ…光入射面、１３ｂ…光出射部、１３ｃ…背面、１３ｄ…傾斜表面部、１４…反射シート、１５…光拡散シート、１６、１７…集光シート、θ…傾斜角、φ…伝播角
【図１】
2009081014.tif 000003
【図２】
2009081014.tif 000004
【図３】
2009081014.tif 000005
【図４】
2009081014.tif 000006
【図５】
2009081014.tif 000007
【図６】
2009081014.tif 000008
【図７】
2009081014.tif 000009
【図８】
2009081014.tif 000010
【図９】
2009081014.tif 000011
【図１０】
2009081014.tif 000012
【図１１】
2009081014.tif 000013